(57)【要約】【課題】ＤＶＤプレーヤやＡＶアンプなどのＡＶ機器で、簡単な操作によって機器の全ての設定項目の設定状態を確認できるようにする。【解決手段】ＡＶ機器の機器本体または遠隔操作装置に、一括表示用キー（オールセットアップチェック用キー）を設ける。このキーが押されたとき、機器本体のＣＰＵは、一括表示画面７によって、当該のＡＶ機器に接続された表示装置の画面上に、当該のＡＶ機器の階層化された全ての設定項目の設定状態を一括表示するとともに、一括表示画面７上にカーソル８を表示する。ユーザは、一括表示画面７上でカーソル８を移動させ、エンターキーを押すことによって、階層化されたメニュー画面を全て表示させることなく、変更すべき設定項目の設定を変更することができる。【選択図】        図４
2004165725.tif 000002
【特許請求の範囲】
【請求項１】
ＡＶ機器の機器本体または遠隔操作装置に設けられた一括表示用キーが押されたか否かを判断する工程と、
前記一括表示用キーが押されたと判断したとき、前記ＡＶ機器に接続された表示装置の表示画面上に、前記ＡＶ機器の階層化された全ての設定項目の設定状態を一括表示する工程と、
を備えるＡＶ機器の設定状態表示方法。
【請求項２】
当該のＡＶ機器の機器本体または遠隔操作装置に設けられた一括表示用キーと、
この一括表示用キーが押されたとき、当該のＡＶ機器に接続された表示装置の表示画面上に、当該のＡＶ機器の階層化された全ての設定項目の設定状態を一括表示する制御手段と、
を備えるＡＶ機器。
【請求項３】
ＡＶ機器の機器本体または遠隔操作装置に設けられた一括表示用キーが押されたか否かを判断する工程と、
前記一括表示用キーが押されたと判断したとき、前記ＡＶ機器に接続された表示装置の表示画面上に、前記ＡＶ機器の階層化された全ての設定項目の設定状態を一括表示し、その一括表示画面上にカーソルを表示する工程と、
この状態で、前記ＡＶ機器の機器本体または遠隔操作装置に設けられた決定用キーが押されたとき、前記カーソルが位置する設定項目の設定変更または設定を実行する工程と、
を備えるＡＶ機器の設定状態表示方法。
【請求項４】
当該のＡＶ機器の機器本体または遠隔操作装置に設けられた一括表示用キーおよび決定用キーと、
前記一括表示用キーが押されたとき、当該のＡＶ機器に接続された表示装置の表示画面上に、当該のＡＶ機器の階層化された全ての設定項目の設定状態を一括表示し、その一括表示画面上にカーソルを表示するとともに、この状態で、前記決定用キーが押されたとき、前記カーソルが位置する設定項目の設定変更または設定を実行する制御手段と、
を備えるＡＶ機器。
【発明の詳細な説明】
【０００１】
【発明の属する技術分野】
この発明は、ＤＶＤ（Ｄｉｇｉｔａｌ  Ｖｅｒｓａｔｉｌｅ  Ｄｉｓｃ）プレーヤやＡＶ（Ａｕｄｉｏ  ａｎｄ  Ｖｉｓｕａｌ）アンプなどのＡＶ機器の設定状態を表示する方法、およびＤＶＤプレーヤやＡＶアンプなどのＡＶ機器に関する。
【０００２】
【従来の技術】
各種の電子機器では、その機器に設けられ、または接続された表示装置に、操作メニューや設定メニューを表示させて、その機器の操作や設定を行うものが多い。
【０００３】
例えば、特許文献１（特開昭６２−５９４６８号公報）には、テレビジョン受信機とこれに接続されるビデオテープレコーダに共通のリモートコントローラのメニュー表示キーを押すと、テレビジョン受信機のＣＲＴ画面上に「テレビ」および「ＶＴＲ」の文字が表示され、その「テレビ」の文字上にカーソルを移動させて入力指令キーを押すと、ＣＲＴ画面上に「テレビ」のチャンネル番号や、音量アップ、音量ダウンなどの文字やマークが表示され、そのいずれかにカーソルを移動させて入力指令キーを押すと、選局や、音量アップ、音量ダウンなどの操作を行うことができ、「ＶＴＲ」の操作についても、同様に行うことができる方法が示されている。
【０００４】
しかし、ＤＶＤプレーヤやＡＶアンプなどの最近のＡＶ機器は、音声の符号化方式や映像の画面サイズなどが多様に渡ることや機器の多機能化などによって、各種の設定を必要とするため、設定項目が多く、２０項目以上にも及ぶ。
【０００５】
そのため、設定項目は階層化されて、例えば、「音声設定」「映像設定」および「その他の設定」に大別され、例えば、ＤＶＤプレーヤとＡＶアンプを一体化したＤＶＤシステムでは、「音声設定」は、「スピーカ設定」や「再生音設定」などの項目に分けられ、その「スピーカ設定」は、「大きさ」「距離」「バランス」「レベル」などの項目に分けられ、その「大きさ」は、「センタ」「フロント」「リア」「リアセンタ」などの項目に分けられ、「映像設定」は、「画面設定」や「スクリーンセーバ」などの項目に分けられ、その「画面設定」は、アスペクト比につき「１６：９」や「４：３」などの項目に分けられ、「その他の設定」は、「視聴年齢制限」や「言語設定」などの項目に分けられ、というような階層構造とされる。
【０００６】
そして、ＤＶＤシステムの設定に当たっては、設定画面表示操作によって、例えば、まず、「音声設定」についての「スピーカ設定」や「再生音設定」などの上位項目のメニュー画面が表示され、その「スピーカ設定」を選択すると、「大きさ」「距離」「バランス」「レベル」などの項目のメニュー画面が表示され、その「大きさ」を選択すると、「センタ」「フロント」「リア」「リアセンタ」などの項目のメニュー画面が表示され、その「センタ」を選択し、「あり」を選択すると、「音声設定」についての「スピーカ設定」中の「大きさ」中の「センタ」は「あり」というように、一つの設定項目が完結的に設定される。他の設定項目についても、同様である。
【０００７】
【特許文献１】
特開昭６２−５９４６８号公報。
【０００８】
【発明が解決しようとする課題】
しかしながら、このようにＡＶ機器では、機器の設定をするのに、上位項目のメニュー画面から下位項目のメニュー画面に切り替えるため、機器の設定状態を確認する場合にも、上位項目のメニュー画面から下位項目のメニュー画面に切り替えなければならず、一つの設定項目の設定状態を確認するだけでも、数回のキー操作を必要とし、上述したように２０項目以上にも及ぶ全ての設定項目の設定状態を確認するには、数１０回にも及ぶ複雑なキー操作を必要とする。
【０００９】
そのため、例えば、ＤＶＤシステムの場合、ユーザは全ての設定項目の設定状態を確認しないまま、ＤＶＤを再生してしまうことが多々あり、設定ミスや設定もれによって、機器が備える機能やＤＶＤ本来の魅力を十分体験していない場合が多い。
【００１０】
また、ＤＶＤを変えて再生するたびに全ての設定項目の設定状態を確認し、必要に応じて一部の設定を変更しているユーザは、確認や設定変更に手間と時間がかかることに良い印象を持っていない。
【００１１】
そこで、この発明は、簡単な操作によってＡＶ機器の全ての設定項目の設定状態を確認することができるようにしたものである。
【００１２】
【課題を解決するための手段】
この発明の設定状態表示方法は、
ＡＶ機器の機器本体または遠隔操作装置に設けられた一括表示用キーが押されたか否かを判断する工程と、
前記一括表示用キーが押されたと判断したとき、前記ＡＶ機器に接続された表示装置の表示画面上に、前記ＡＶ機器の階層化された全ての設定項目の設定状態を一括表示する工程と、
を備えるものである。
【００１３】
この発明のＡＶ機器は、
当該のＡＶ機器の機器本体または遠隔操作装置に設けられた一括表示用キーと、
この一括表示用キーが押されたとき、当該のＡＶ機器に接続された表示装置の表示画面上に、当該のＡＶ機器の階層化された全ての設定項目の設定状態を一括表示する制御手段と、
を備えるものである。
【００１４】
上記の構成の、この発明の設定状態表示方法またはＡＶ機器では、ユーザが一括表示用キーを押したとき、ＡＶ機器のＣＰＵなどの制御手段によって、当該のＡＶ機器に接続された表示装置の表示画面上に、当該のＡＶ機器の階層化された全ての設定項目の設定状態が一括して表示される。
【００１５】
例えば、上述したＤＶＤシステムの場合、「音声設定」の一つについては、「スピーカ設定→大きさ→センタ→あり」などと表示され、「映像設定」の一つについては、「画面設定→４：３→レターボックス」などと表示され、「その他の設定」の一つについては、「視聴年齢制限→レベル→２」などと表示される。
【００１６】
したがって、ユーザは、その一括表示画面によって、全ての設定項目の設定状態を一目で確認することができ、変更すべき設定項目や設定もれの設定項目を直ちに判断することができ、変更すべき設定項目の設定変更および設定もれの設定項目の設定を容易に行うことができる。
【００１７】
【発明の実施の形態】
〔ＡＶ機器システムの実施形態：図１および図２〕
図１は、この発明のＡＶ機器を用いたＡＶ機器システムの一実施形態を示し、ＤＶＤプレーヤとＡＶアンプを一体化したＤＶＤシステムに表示装置およびスピーカを接続したものである。
【００１８】
ＤＶＤシステムの機器本体１０では、ディスク（ＤＶＤ）１が、スピンドルモータ１１によって回転駆動され、光ピックアップ１２が、送りモータ１３によってディスク１の径方向に送られる。
【００１９】
光ピックアップ１２からの再生ＲＦ信号は、ＲＦ処理回路１４に供給されて、ＲＦ処理回路１４から、速度エラー信号、トラッキングエラー信号およびフォーカスエラー信号などが得られ、これらエラー信号が、サーボ制御回路１５に供給されて、ディスク１の回転、光ピックアップ１２の送り、および光ピックアップ１２のトラッキングおよびフォーカスが制御される。
【００２０】
また、ＲＦ処理回路１４から、映像および音声の、圧縮符号化され、多重化され、変調されたデータの再生信号が得られ、この再生信号が、復調用ＤＳＰ（Ｄｉｇｉｔａｌ  Ｓｉｇｎａｌ  Ｐｒｏｃｅｓｓｏｒ）１６で、復調され、エラー訂正されて、復調用ＤＳＰ１６から、映像および音声の、圧縮符号化され、多重化されたデータが得られる。
【００２１】
また、復調用ＤＳＰ１６から、再生制御用の制御情報が得られ、その制御情報が、再生制御回路１７に供給され、サーボ制御回路１５によるディスク１の回転制御および光ピックアップ１２の送り制御に供される。
【００２２】
復調用ＤＳＰ１６からの、映像および音声の、圧縮符号化され、多重化されたデータは、デマルチプレクサ１８に供給されて、圧縮符号化された映像データと圧縮符号化された音声データとに分離される。
【００２３】
その分離された映像データは、ビデオデコーダ２１で伸長復号され、その復号後の映像データは、ＯＳＤ（Ｏｎ  Ｓｃｒｅｅｎ  Ｄｉｓｐｌａｙ）処理部２２を通じてＮＴＳＣエンコーダ２３に供給されて、ＮＴＳＣアナログ映像信号に変換され、そのＮＴＳＣアナログ映像信号が、映像出力端子２４を通じて、ＣＲＴディスプレイや液晶ディスプレイなどの表示装置８０に供給される。
【００２４】
ＯＳＤ処理部２２は、後述のシステムコントローラ５０によって生成される一括表示画面やメニュー画面などの表示用データをＮＴＳＣエンコーダ２３に供給するものである。
【００２５】
デマルチプレクサ１８で分離された音声データは、オーディオデコーダ２６で伸長復号されて、オーディオデコーダ２６から、再生されるディスク１の音声符号化方式に応じて、この例では最大６．１チャンネル（０．１チャンネルはスーパーウーハ）の復号された音声データが得られる。
【００２６】
その各チャンネルの復号後の音声データは、イコライザ２７において、イコライズ特性（周波数−レベルの特性）が制御された後、アナログ音声信号に変換され、スーパーウーハを除く各チャンネルのアナログ音声信号が、アンプ３１〜３６で増幅されて、音声出力端子４１〜４６を通じて、スピーカ９１〜９６に供給されるとともに、スーパーウーハのアナログ音声信号が、音声出力端子４７を通じて、アンプ９７およびスピーカ９８からなるスーパーウーハ用スピーカシステム９９に供給される。
【００２７】
システムコントローラ５０は、ＣＰＵ５１を備え、そのバス５２に、ＣＰＵ５１が実行すべき後述の設定状態一括表示処理ルーチンを含むプログラムや、一括表示画面やメニュー画面などの表示に必要なデータなどが書き込まれたＲＯＭ５３、およびＣＰＵ５１のワークエリアなどとして機能するＲＡＭ５４が接続される。
【００２８】
さらに、バス５２には、パネル操作部６１、赤外線受光部６２および液晶表示部６３が接続される。赤外線受光部６２は、リモートコマンダ７０から送信された赤外線遠隔操作信号を受信してバス５２に送出するものである。
【００２９】
リモートコマンダ７０は、図２に、その一例を詳細に示すように、カーソルキー７１、エンターキー７２、マスターボリュームキー７３、スーパーウーハ用ボリュームキー７４、およびオールセットアップチェック用キー７５を備えるものとして構成される。
【００３０】
カーソルキー７１は、後述のように表示装置８０の画面上に表示されたカーソルを画面の上下左右方向に移動させるものであり、エンターキー７２は、選択または決定を行うものであり、マスターボリュームキー７３は、スーパーウーハを除く各チャンネルの音量レベルをアップまたはダウンさせるものであり、スーパーウーハ用ボリュームキー７４は、スーパーウーハ専用のボリュームキーとしてスーパーウーハの音量レベルをアップまたはダウンさせるものであり、オールセットアップチェック用キー７５は、後述のように表示装置８０の画面上に一括表示画面を表示させるものである。
【００３１】
ディスク１に記録されているスーパーウーハの音量レベルは、ディスクによって２０ｄＢ以上の差がある。また、特にスーパーウーハについては、近隣に迷惑がかからないように、昼と夜では音量レベルを変えるなどの必要がある。そのため、ユーザはスーパーウーハの音量レベルを頻繁に変更する必要がある。しかしながら、スーパーウーハの音量レベルを変更するのに、キー操作を何回も行うのは面倒である。
【００３２】
これに対して、この実施形態では、リモートコマンダ７０にスーパーウーハ用ボリュームキー７４が設けられ、これを押すことによってスーパーウーハの音量レベルがアップまたはダウンするので、ユーザは、いつでも簡単かつダイレクトに、スーパーウーハの音量レベルを変更することができる。
【００３３】
〔設定状態表示方法の実施形態：図３〜図５〕
一方、この実施形態では、ＤＶＤシステムの設定項目が、図３（Ａ）〜（Ｃ）に示すように、「音声設定」「映像設定」および「その他の設定」に大別される。
【００３４】
そして、「音声設定」は、図３（Ａ）のメニュー画面３ａに示すように、「スピーカ設定」や「再生音設定」などの項目に分けられ、その「スピーカ設定」は、図３（Ａ）のメニュー画面３ｂに示すように、「大きさ」「距離」「バランス」「レベル」などの項目に分けられ、その「大きさ」は、図３（Ａ）のメニュー画面３ｃに示すように、「センタ」「フロント」「リア」「リアセンタ」などの項目に分けられる。
【００３５】
「スピーカ設定」中の「距離」「バランス」「レベル」などについても、同様であり、「音声設定」中の「再生音設定」などについても、同様である。
【００３６】
また、「映像設定」は、図３（Ｂ）のメニュー画面４ａに示すように、「画面設定」や「スクリーンセーバ」などの項目に分けられ、その「画面設定」は、図３（Ｂ）のメニュー画面４ｂに示すように、アスペクト比につき「１６：９」や「４：３」などの項目に分けられ、その「４：３」は、図３（Ｂ）のメニュー画面４ｃに示すように、「レターボックス」や「パンスキャン」などの項目に分けられ、「映像設定」中の「スクリーンセーバ」は、図３には示していないが、「入」「切」などの項目に分けられる。
【００３７】
「その他の設定」は、図３（Ｃ）のメニュー画面５ａに示すように、「視聴年齢制限」や「言語設定」などの項目に分けられ、その「視聴年齢制限」は、図３（Ｃ）のメニュー画面５ｂおよび５ｃに示すように、レベル１，２などの項目に分けられ、その「言語設定」は、図３には示していないが、「日本語」「英語」などの項目に分けられる。
【００３８】
そして、この実施形態では、オールセットアップチェック用キー７５を押すと、システムコントローラ５０のＣＰＵ５１が実行する後述の設定状態一括表示処理ルーチンによって、表示装置８０の画面上に、ＤＶＤシステムの全ての設定項目の設定状態が、図４に示すような一括表示画面７として表示される。
【００３９】
図４の例では、「音声設定」中の「スピーカ設定」の一つとして、「スピーカ設定→大きさ→センタ→あり」と表示され、「音声設定」中の「再生音設定」として、「再生音設定→ドルビー（登録商標）デジタル→５．１ｃｈ」と表示され、「映像設定」中の「画面設定」として、「画面設定→４：３→レターボックス」と表示され、「映像設定」中の「スクリーンセーバ」として、「スクリーンセーバ→入」と表示され、「その他の設定」中の「視聴年齢制限」として、「視聴年齢制限→レベル→２」と表示され、「その他の設定」中の「言語設定」として、「言語設定→日本語」と表示され、というように、それぞれの設定状態が表示される。
【００４０】
したがって、ユーザは、オールセットアップチェック用キー７５を押すという簡単な操作によって、全ての設定項目の設定状態を一目で確認することができ、変更すべき設定項目や設定もれの設定項目を直ちに判断することができる。
【００４１】
さらに、この実施形態では、一括表示画面７が表示されるとき、同時に、一括表示画面７上の定められた位置、例えば、最初の設定項目の末尾位置、すなわち図４の例では「あり」の位置に、カーソル８が表示される。
【００４２】
この状態で、ユーザは、リモートコマンダ７０のカーソルキー７１を操作し、エンターキー７２を押すことによって、変更すべき設定項目の設定を変更し、または設定もれの設定項目の設定を行うことができる。
【００４３】
例えば、「スピーカ設定→大きさ→センタ→あり」という設定を、「スピーカ設定→大きさ→センタ→なし」という設定に変更する場合には、カーソル８を「あり」の位置から「センタ」の位置に移動させた後、エンターキー７２を押す。
【００４４】
これによって、表示装置８０の画面上には、図３（Ａ）に示したようなメニュー画面３ｃおよび３ｄが表示され、メニュー画面３ｄの「あり」の位置に、カーソル８が表示される。
【００４５】
この状態で、カーソル８を「なし」の位置に移動させ、エンターキー７２を押すと、「スピーカ設定→大きさ→センタ→なし」という設定に変更される。変更後は、変更後の一括表示画面が表示される。
【００４６】
また、この変更後の状態、または変更前の状態で、カーソル８を「大きさ」の位置に移動させ、エンターキー７２を押すと、表示装置８０の画面上には、図３（Ａ）に示したようなメニュー画面３ｂが表示され、この状態で、カーソル８を「距離」「バランス」「レベル」などの位置に移動させ、エンターキー７２を押すと、表示装置８０の画面上には、メニュー画面３ｃ，３ｄと同様の、「距離」「バランス」「レベル」などについてのメニュー画面が表示され、「距離」「バランス」「レベル」などについての設定を変更することができる。
【００４７】
同様に、「映像設定」や「その他の設定」についての設定を変更することができる。また、設定もれの設定項目についての設定も、同様の方法によって行うことができる。
【００４８】
図５に、ＣＰＵ５１が行う以上のような設定状態一括表示処理ルーチンの一例を示す。
【００４９】
この例の設定状態一括表示処理ルーチン１００では、ＤＶＤシステムの動作状態において、まずステップ１０１で、オールセットアップチェック用キー７５が押されたか否かを判断し、オールセットアップチェック用キー７５が押されたと判断したときには、ステップ１０２に進んで、図４に示したように、全ての設定項目の設定状態を一括表示する。
【００５０】
次に、ステップ１０３に進んで、カーソルキー７１以外のいずれかのキーが押されたか否かを判断し、カーソルキー７１以外のいずれかのキーが押されたと判断したときには、ステップ１０４に進んで、オールセットアップチェック用キー７５が押されたか否かを判断し、オールセットアップチェック用キー７５が押されたと判断したときには、ステップ１０５に進んで、一括表示画面を閉じて、ステップ１０１に戻る。
【００５１】
したがって、ユーザがオールセットアップチェック用キー７５を押して、図４のような一括表示画面７を表示させた後、カーソルキー７１以外のキーを押すことなくオールセットアップチェック用キー７５を押した場合には、一括表示画面７が閉じられる。
【００５２】
ステップ１０４でオールセットアップチェック用キー７５以外のキーが押されたと判断したときには、ステップ１０６に進んで、エンターキー７２が押されたか否かを判断し、エンターキー７２が押されたと判断したときには、ルーチン１０７に進んで、上述したような設定変更処理（または設定もれの設定項目についての設定処理）を実行する。
【００５３】
また、ステップ１０６でエンターキー７２以外のキー（カーソルキー７１、オールセットアップチェック用キー７５、またはエンターキー７２ではないキー）が押されたと判断したときには、ルーチン１０８に進んで、それに応じた他の処理を実行する。
【００５４】
〔他の実施形態〕
上述した実施形態は、リモートコマンダ７０にオールセットアップチェック用キー７５やスーパーウーハ用ボリュームキー７４などを設ける場合であるが、機器本体１０のパネル操作部６１にオールセットアップチェック用キー（一括表示用キー）やスーパーウーハ用ボリュームキーなどを設けてもよい。
【００５５】
また、上述した実施形態は、この発明をＤＶＤシステムに適用した場合であるが、この発明は、ＤＶＤ以外の記録メディアから音声および映像を再生する装置などのＡＶ機器にも適用することができる。
【００５６】
【発明の効果】
上述したように、第１の発明によれば、簡単な操作によってＡＶ機器の全ての設定項目の設定状態を確認することができる。
【００５７】
第２の発明によれば、さらに、少ないキー操作によって迅速かつ容易に、変更すべき設定項目の設定変更および設定もれの設定項目の設定を行うことができる。
【図面の簡単な説明】
【図１】この発明のＡＶ機器を用いたＡＶ機器システムの一実施形態を示す図である。
【図２】遠隔操作装置の一例を示す図である。
【図３】設定用のメニュー画面の一例を示す図である。
【図４】一括表示画面の一例を示す図である。
【図５】ＣＰＵが実行する設定状態一括表示処理ルーチンの一例を示す図である。
【符号の説明】
主要部については図中に全て記述したので、ここでは省略する。
【図１】
2004165725.tif 000003
【図２】
2004165725.tif 000004
【図３】
2004165725.tif 000005
【図４】
2004165725.tif 000006
【図５】
2004165725.tif 000007